(57)【要約】      （修正有）【課題】構造がシンプルで、手間を省き、操作が簡単である屋外傘用連結器及び迅速に組み合わせて使用しやすい屋外傘を提供する。【解決手段】本考案は、屋外傘の傘本体と支持柱を連結するための屋外傘用連結器に関し、連結器は、支持柱を固定するための第１の固定器と傘本体を固定するための第２の固定器２とを備え、第２の固定器２は、軸方向に沿って移動可能に設けられて、着脱自在に且つ異なる角度で第１の固定器にロックすることを実現する。本考案に係る屋外傘用連結器及びそれに対応する屋外傘を採用することによって、いつでも固定器の相対的な角度を調節することができ、ロックの際には非常に簡単で、手軽で、迅速で、使い勝手がよく、且つ構造がシンプルで、合理的で、巧妙であり、生産や加工がし易く、市場競争力が高い。【選択図】図１
0003218577.tif 000002
【実用新案登録請求の範囲】
【請求項１】
屋外傘の傘本体と支持柱を連結するための屋外傘用連結器であって、
前記連結器は、前記支持柱を固定するための第１の固定器と前記傘本体を固定するための第２の固定器とを備え、
前記第２の固定器は、軸方向に沿って移動可能に設けられて、着脱自在に且つ異なる角度で前記第１の固定器にロックすることを実現する、ことを特徴とする屋外傘用連結器。
【請求項２】
前記第１の固定器又は第２の固定器のうちの一方における一端には位置決め構造が設けられ、且つ前記第１の固定器又は第２の固定器のうちの他方における一端には対応する係止構造が設けられ、前記位置決め構造と係止構造が協働することにより、異なる角度で前記第２の固定器を前記第１の固定器にロックすることを実現する、ことを特徴とする請求項１に記載の屋外傘用連結器。
【請求項３】
前記第１の固定器と第２の固定器を支持するための支持組立体を備え、前記支持組立体は、軸杆と前記軸杆の寸法に対応する軸孔とを備え、前記軸杆は、前記第１の固定器又は第２の固定器のうちの一方に設けられ、前記軸孔は、前記第１の固定器又は第２の固定器のうちの他方に設けられ、前記軸杆の軸孔における移動により第２の固定器の軸方向移動を実現し；
角度を調節する際には、第２の固定器を軸方向に引っ張って軸杆を軸孔内において軸方向移動させると、第２の固定器の軸方向移動に伴って、前記位置決め構造と係止構造が分離し；
角度をロックする際には、第２の固定器の角度を調整してから第１の固定器に合わせて第２の固定器を軸方向に押すことにより、前記位置決め構造と前記係止構造を係合させて、前記第２の固定器と第１の固定器のロックを実現する、ことを特徴とする請求項２に記載の屋外傘用連結器。
【請求項４】
前記第２の固定器の一端には前記軸杆が設けられ、且つ前記第１の固定器の内部には、前記軸杆の寸法に対応する軸孔が設けられている、ことを特徴とする請求項３に記載の屋外傘用連結器。
【請求項５】
前記軸杆と第２の固定器本体の間には、前記位置決め構造又は係止構造が設けられ、且つ前記軸杆の直径は、前記位置決め構造又は係止構造の直径よりも小さい、ことを特徴とする請求項４に記載の屋外傘用連結器。
【請求項６】
前記第２の固定器の一端には、前記軸孔が設けられ、且つ前記第１の固定器の内部には、対応する軸杆が設けられている、ことを特徴とする請求項３に記載の屋外傘用連結器。
【請求項７】
前記軸孔と第２の固定器本体の間には、前記位置決め構造又は係止構造が設けられている、ことを特徴とする請求項６に記載の屋外傘用連結器。
【請求項８】
前記軸杆の軸方向長さは、前記位置決め構造又は係止構造の軸方向長さ以上である、ことを特徴とする請求項３から請求項７のいずれか一項に記載の屋外傘用連結器。
【請求項９】
前記位置決め構造は、軸方向の周りに設けられた突起歯を有しており、前記係止構造は、軸方向の周りに設けられた係止溝を有している、ことを特徴とする請求項２から請求項７のいずれか一項に記載の屋外傘用連結器。
【請求項１０】
傘本体と、支持柱と、屋外傘の傘本体と支持柱を連結するための請求項１から請求項９のいずれか一項に記載の屋外傘用連結器とを備えている、ことを特徴とする迅速に組み合わせて使用しやすい屋外傘。
【考案の詳細な説明】
【技術分野】
【０００１】
本考案は、屋外傘技術分野に関し、具体的には、屋外傘用連結器及び迅速に組み合わせて使用しやすい屋外傘に関する。
【背景技術】
【０００２】
現在、市販されている従来の屋外傘用連結器、特に角度調節機能を有する連結器は、通常、押しボタン、つまみ又はばね等の補助作用下で角度調節及びロックを行う必要があるため、屋外で操作する際には面倒であり、利便性に欠け、且つ、非常に時間がかかる。
【考案の概要】
【０００３】
本考案の目的は、上記の従来技術の欠点を克服し、構造がシンプルで、手間を省き、操作が簡単である屋外傘用連結器及び迅速に組み合わせて使用しやすい屋外傘を提供することである。
【０００４】
上記目的を達成するために、本考案の一方では、屋外傘の傘本体と支持柱を連結するための屋外傘用連結器を提供し、その主な特徴は、前記連結器は、前記支持柱を固定するための第１の固定器と前記傘本体を固定するための第２の固定器とを備え、前記第２の固定器は、軸方向に沿って移動可能に設けられて、着脱自在に且つ異なる角度で前記第１の固定器にロックすることを実現することである。
【０００５】
好ましくは、第１の固定器又は第２の固定器のうちの一方における一端には位置決め構造が設けられ、且つ前記第１の固定器又は第２の固定器のうちの他方における一端には対応する係止構造が設けられ、前記位置決め構造と係止構造が協働することにより、異なる角度で前記第２の固定器を前記第１の固定器にロックすることを実現する。
【０００６】
好ましくは、前記連結器は、前記第１の固定器と第２の固定器を支持するための支持組立体を備え、前記支持組立体は、軸杆と前記軸杆の寸法に対応する軸孔とを備え、前記軸杆は、前記第１の固定器又は第２の固定器のうちの一方に設けられ、前記軸孔は、前記第１の固定器又は第２の固定器のうちの他方に設けられ、前記軸杆の軸孔における移動により第２の固定器の軸方向移動を実現し；角度を調節する際には、第２の固定器を軸方向に引っ張って軸杆を軸孔内において軸方向移動させると、第２の固定器の軸方向移動に伴って、前記位置決め構造と係止構造が分離し；角度をロックする際には、第２の固定器の角度を調整してから第１の固定器に合わせて第２の固定器を軸方向に押すことにより、前記位置決め構造と前記係止構造を係合させ、前記第２の固定器と第１の固定器のロックを実現する。
【０００７】
好ましくは、前記第２の固定器の一端には前記軸杆が設けられ、且つ前記第１の固定器の内部には、前記軸杆の寸法に対応する軸孔が設けられている。
【０００８】
好ましくは、前記軸杆と第２の固定器本体の間には、前記位置決め構造又は係止構造が設けられ、且つ前記軸杆の直径は、前記位置決め構造又は係止構造の直径よりも小さい。
【０００９】
好ましくは、前記第２の固定器の一端には、前記軸孔が設けられ、且つ前記第１の固定器の内部には、対応する軸杆が設けられている。
【００１０】
好ましくは、前記軸孔と第２の固定器本体の間には、前記位置決め構造又は係止構造が設けられている。
【００１１】
好ましくは、前記位置決め構造は、軸方向の周りに設けられた突起歯を有しており、前記係止構造は、軸方向の周りに設けられた係止溝を有している。
【００１２】
本考案はまた、迅速に組み合わせて使用しやすい屋外傘を提供し、その主な特徴は、前記屋外傘は、傘本体と、支持柱と、屋外傘の傘本体と支持柱を連結するための連結器とを備えていることである。
【００１３】
本考案に係る屋外傘用連結器及びそれに対応する屋外傘を採用することによって、いつでも固定器の相対的な角度を調節することができ、且つ、ロックの際には非常に簡単で、手軽で、迅速で、使い勝手がよく、且つ構造がシンプルで、合理的で、巧妙であり、生産や加工がし易く、市場競争力が高い。
【図面の簡単な説明】
【００１４】
【図１】本考案に係る屋外傘用連結器の第２の固定器の構造の概略図である。
【図２】本考案に係る屋外傘用連結器の第１の固定器の構造の概略図である。
【図３】本考案に係る屋外傘用連結器の組み立て時の構造の概略図である。
【図４】本考案に係る迅速に組み合わせて使用しやすい屋外傘の分解時の構造の概略図である。
【図５】本考案に係る迅速に組み合わせて使用しやすい屋外傘の組み立て時の構造の概略図である。
【考案を実施するための形態】
【００１５】
本考案に係る技術的内容をより明確に説明するために、以下に具体的な実施例と併せてさらに説明する。
【００１６】
図１から図４に示すように、本考案に係る屋外傘用連結器の実施例が示されており、屋外傘の傘本体と支持柱を連結するためのものであり、その主な特徴は、前記連結器は、前記支持柱を固定するための第１の固定器１と前記傘本体を固定するための第２の固定器２とを備え、前記第２の固定器は、軸方向に沿って移動可能に設けられて、着脱自在に且つ異なる角度で前記第１の固定器にロックすることを実現することである。
【００１７】
当該連結器の実施例の具体的な構造は以下の通りである。
【００１８】
前記第２の固定器の一端には位置決め構造３が設けられ、且つ前記第１の固定器の一端には対応する係止構造４が設けられ、前記位置決め構造と係止構造が協働することにより、異なる角度で前記第２の固定器を前記第１の固定器にロックすることを実現する。図１から図４では、第２の固定器には、位置決め構造が設けられ、第１の固定器には、係止構造が設けられている状況が示されている。勿論、第２の固定器の一端には、係止構造が設けられ、第１の固定器の一端には、対応する位置決め構造が設けられるように変更することも可能であり、同様に、異なる角度で前記第２の固定器を前記第１の固定器にロックすることを実現することも可能である。
【００１９】
連結器は、前記第１の固定器と第２の固定器を支持するための支持組立体を備え、前記支持組立体は、軸杆５と前記軸杆の寸法に対応する軸孔６とを備え、前記軸杆５は、前記第１の固定器又は第２の固定器のうちの一方に設けられ、前記軸孔６は、前記第１の固定器又は第２の固定器のうちの他方に設けられ、前記軸杆の軸孔における移動により第２の固定器の軸方向移動を実現し；角度を調節する際には、第２の固定器を軸方向に引っ張って軸杆を軸孔内において軸方向移動させると、第２の固定器の軸方向移動に伴って、前記位置決め構造と係止構造が分離し；角度をロックする際には、第２の固定器の角度を調整してから第１の固定器に合わせて第２の固定器を軸方向に押すことにより、前記位置決め構造と前記係止構造を係合させ、前記第２の固定器と第１の固定器とのロックを実現する。
【００２０】
支持組立体の設置は、位置決め構造と係止構造の接触を増加させ、角度を調節する際に２つの固定器が分離プロセスにおいて位置ずれを起こすことを回避し、角度を支持する作用を発揮する。且つ、軸杆の設置は、第２の固定器における接合口が傘本体に連結された後に、第２の固定器が傘本体の自重によって第１の固定器の軸孔により安定してロックされるようにすることができる。当該設置により、本考案に係る製品は追加の押しボタン、つまみ又はばねによる補助ロックを必要とせず、軸杆を軸孔内に直接挿入すればよく、傘本体の自重によって当該ロック状態がより安定し、角度を変更するときには、第２の固定器を軽く軸方向に引っ張って引き抜いてから再び合わせて挿入すれば良い。
【００２１】
図１から図２に示すように、前記第２の固定器の一端には前記軸杆が設けられ、且つ前記第１の固定器の内部には前記軸杆の寸法に対応する軸孔が設けられている。前記軸杆と第２の固定器本体の間には、前記位置決め構造又は係止構造が設けられ、且つ前記軸杆の直径は、前記位置決め構造又は係止構造の直径よりも小さい。
【００２２】
上述した設置方式を以下のように変更してもよい。即ち、前記第２の固定器の一端には、前記軸孔が設けられ、且つ前記第１の固定器の内部には、対応する軸杆が設けられている。前記軸孔と第２の固定器本体の間には、前記位置決め構造又は係止構造が設けられている。
【００２３】
好ましくは、前記軸杆の軸方向長さは、前記位置決め構造の軸方向長さよりも長い。
【００２４】
本考案はまた、迅速に組み合わせて使用しやすい屋外傘を提供し、その主な特徴は、前記屋外傘は、傘本体７と、支持柱８と、屋外傘の傘本体と支持柱を連結するための連結器とを備えていることである。
【００２５】
図５及び図６に示すように、支持柱が連結された第１の固定器と傘本体が固定された第２の固定器の分解及び組み立て時の状態がそれぞれ実現されている。簡単で手軽な分解及び組み立てによって、傘本体の角度は容易に調整することができる。一般的な支持柱にはロックスリーブが設けられており、これによって、支持柱の高さを垂直に調整することができ、更に傘本体の水平高さを調整することができる。
【００２６】
本考案に係る屋外傘用連結器及びそれに対応する屋外傘を採用することによって、いつでも固定器の相対的な角度を調節することができ、且つ、ロックの際は非常に簡単で、手軽で、迅速で、使い勝手がよく、且つ構造がシンプルで、合理的で、巧妙であり、生産や加工がし易く、市場競争力が高い。
【００２７】
本明細書において、本考案は、その特定の実施形態を参照して説明を行った。しかし、本考案の概念及び範囲から逸脱することなく、様々な修正及び変更を行うことができることは明らかである。したがって、明細書及び図面は、限定的に見るのではなく、例示的に見なければならない。
【符号の説明】
【００２８】
１  第１の固定器
２  第２の固定器
３  位置決め構造
４  係止構造
５  軸杆
６  軸孔
７  傘本体
８  支持柱
【図１】
0003218577.tif 000003
【図２】
0003218577.tif 000004
【図３】
0003218577.tif 000005
【図４】
0003218577.tif 000006
【図５】
0003218577.tif 000007